(57)【特許請求の範囲】
【請求項１】
遊技台の間に配置される台間機において、遊技島を構成する枠体に固定されたホルダと、前面側から前記ホルダに着脱可能に装着される台間機本体との間のロック機構であって、
前記ロック機構は、前記台間機本体の背面板に形成された係止孔と、前記ホルダに取り付けられた係止部材および板ばねで構成され、
前記係止部材は、下面に前記係止孔の下縁面に係止される下側に開放された凹部を有するとともに、先端に前記下縁面を前記凹部へガイドするガイド面を有し、前記凹部から先端側が前記ホルダの前方に突出して設けられ、且つ下向きに付勢され、
前記板ばねは、弾性部材で形成され、底板部が弾性力によって前記凹部の下方を覆ってロック解除状態を保持し、前記底板部の先端が後方に押されると弾性変形して前記凹部が開放され前記係止部材が前記台間機本体の係止孔にロックされることを特徴とする、遊技台用台間機のロック機構。
【請求項２】
前記板ばねは、底板部が少なくとも前記凹部と同じ幅寸法を有していることを特徴とする、請求項１に記載の遊技台用台間機のロック機構。
【請求項３】
前記板ばねの底板部の先端に、折り返し部が設けられていることを特徴とする、請求項１または２に記載の遊技台用台間機のロック機構。
【請求項４】
前記係止部材は、前記ホルダの上下二箇所に設けられるとともに、前記二箇所の係止部材は連結部材を介して連動し、前記板ばねは、前記二箇所の係止部材のいずれか一方側に設けられていることを特徴とする、請求項１〜３のいずれかに記載の遊技台用台間機のロック機構。
【発明の詳細な説明】
【技術分野】
【０００１】
本発明は、遊技台の間に配置され、例えばパチンコ機等の遊技台で用いられる遊技球等の遊技媒体を貸し出す台間機を取り付ける際のロック機構に関するものである。
【背景技術】
【０００２】
パチンコホール等の遊技施設では、ＣＲ機等の遊技台は、通常、背中合わせに２列に並べられ、図１に示すように、遊技台３に隣接して、各遊技台３一台ずつに対応して台間機２が設置されている。台間機２は、遊技者により挿入された磁気カードやＩＣカード等のプリペイドカードを読み取ったり、あるいは投入された紙幣または硬貨を検知して、遊技者が指定した金額に応じた個数の遊技球を貸し出す装置である。スロットマシン等の遊技台についても同様に、遊技台毎にメダルの貸し出しを行う台間機が配置されている。
【０００３】
台間機は、台間機本体およびホルダにより構成され、台間機本体には、制御ユニット、紙幣識別ユニットやＩＣカード読取ユニット等の各回路が構成された基板が内蔵されている。ホルダは、遊技島を構成している枠体に固定されており、台間機本体は、ホルダに対して、正面側から着脱可能に装着されている。さらに、台間機本体がホルダから不正に引き抜かれることがないように、台間機本体の背面側とホルダとの間には、ロック機構を備えている。台間機のメンテナンス等を行う際には、ロック機構を解除し、台間機本体をホルダから引き抜く。
【０００４】
従来、ロック機構としては、台間機本体をホルダに差し込む動作に連動して、自動的にロックされるものが知られている。即ち、ロック位置およびロック解除位置に移動可能なロック部材を、ばねを用いてロック位置の方向に付勢し、台間機本体をホルダに差し込む動作に連動させて、ロック部材を一旦ロック解除位置に移動させた後にロック位置に戻すことにより、ロック状態が自動形成されるようになっている。
【０００５】
このようにしてロックされた台間機本体を引き抜くためには、ロック部材を、ばねの付勢力の反対方向へ手動で移動させてロックを解除し、この状態を保持したまま台間機本体を正面側に引き出す動作が必要である。
【０００６】
ところが、このようにばねの力に逆らった状態を手動で保持するという従来の取り外し方法は、強い力を要し、作業性が悪かった。しかも、パチンコ遊技台は、通常、図１に示すように、遊技台３の向かって左側にヒンジ４を有し、遊技台３の左側に、その遊技台３に対応する台間機２が備えられている。そのため、遊技台３を向かって右側から開き、ロック機構を解除した状態を片手で保持しながらもう一方の手で台間機本体を引き出すことは、極めて作業性が悪く、左隣の遊技台を開く必要が生じる場合があった。
【０００７】
そこで、取り外し時の作業性を改善するために、例えば特許文献１には、ロック部材をロック解除位置に移動した後、台間機本体が引き抜かれるまでの間、ロック部材をロック解除状態に保持するための機構を設けた構成が開示されている。また、特許文献２には、台間機本体側とホルダ側を係合させるフックを用いたロック機構が開示されている。
【０００８】
【特許文献１】特開２００３−１１２３７号公報
【特許文献２】特開２００４−３０５５７６号公報
【発明の開示】
【発明が解決しようとする課題】
【０００９】
しかしながら、前記特許文献１に開示されたものは、ロック機構およびその保持機構が複雑である。さらに、これらの機構部が台間機本体側に備えられているため、台間機本体を取り外したときに外部に露出し、損傷しやすい。
【００１０】
また、前記特許文献２に開示されたロック機構においては、台間機本体が傾いた場合などには、引き抜く際に、係止孔にフックが引っかかりやすいという問題点がある。
【００１１】
本発明の目的は、台間機本体を、遊技島を構成する枠体に固定されたホルダから容易に引き抜くことができる遊技台用台間機のロック機構を提供することにある。
【課題を解決するための手段】
【００１２】
上記問題を解決するため、本発明は、遊技台の間で遊技媒体を貸し出す台間機において、遊技島を構成する枠体に固定されたホルダと、前面側から前記ホルダに着脱可能に装着される台間機本体との間のロック機構であって、前記ロック機構は、前記台間機本体の背面板に形成された係止孔と、前記ホルダに取り付けられた係止部材および板ばねで構成され、前記係止部材は、下面に前記係止孔の下縁面に係止される凹部を有するとともに、先端に前記下縁面を前記凹部へガイドするガイド面を有し、前記凹部から先端側が前記ホルダの前方に突出して設けられ、且つ下向きに付勢され、前記板ばねは、弾性部材で形成され、底板部が弾性力によって前記凹部の下方を覆い、前記底板部の先端が後方に押されると全体が弾性変形して前記凹部が開放されることを特徴とする遊技台用台間機のロック機構を提供する。
【００１３】
上記の本発明は、板ばねの弾性力を利用した簡易な構成であり、ロック機構を解除した状態を保持できるので、たとえば片手で、台間機本体側を容易に引き抜くことができる。さらに、板ばねが係止部材の凹部を塞いだ状態で、台間機本体の引き抜き動作が行われるため、係止部材の凹部が引っかかることなく、台間機本体を傾くことなく円滑に引き出すことができる。
【００１４】
前記板ばねは、底板部が少なくとも前記凹部と同じ幅寸法を有していることが好ましい。これにより、凹部の引っかかりを確実に防ぐことができる。また、凹部と同じ幅寸法を有する板ばねの底板部に沿って台間機本体を引っ張ることにより、更に傾くことなく真っ直ぐに引き出しやすくなる。
【００１５】
また、前記板ばねの底板部の先端に、折り返し部が設けられていることが好ましい。折り返し部の曲面状の先端がガイド面の役割をして、円滑に操作できる。
【００１６】
前記係止部材は、前記ホルダの上下二箇所に設けられるとともに、前記二箇所の係止部材は連結部材を介して連動し、前記板ばねは、前記二箇所の係止部材のいずれか一方側に設けられていてもよい。
【発明の効果】
【００１７】
本発明によれば、簡易な構造で、台間機本体を短時間で容易に引き抜くことができる。
【発明を実施するための最良の形態】
【００１８】
以下、本発明の実施の形態の一例を、図を参照して説明する。なお、本明細書および図面において、実質的に同一の機能構成を有する要素においては、同一の符号を付することにより重複説明を省略する。
【００１９】
パチンコホールにおいて、遊技台は、通常、背中合わせに２列に並べられ、図１に示すように、各遊技台３に隣接して、それぞれの遊技台３に対応し、遊技球の貸出装置である台間機２が設けられている。台間機２は、遊技台３を利用する遊技者に対し、磁気カードやＩＣカード等のプリペイドカード等のデータ、または投入された紙幣等を読み取って、遊技者から指定された金額に応じて、遊技台３へ所定数の遊技球を供給する。
【００２０】
台間機２は、図２に示すように、台間機本体１１およびホルダ１２により構成される。台間機本体１１には、制御ユニット、紙幣識別ユニットやＩＣカード読取ユニット等の各回路を構成する基板が内蔵されている。ホルダ１２は、遊技島を構成している枠体（図示省略）に固定されている。ホルダ１２と台間機本体１１とは、例えば図２の一点鎖線で示す上下二箇所においてロック機構により装着され、台間機本体１１がホルダ１２に対して、前面側から着脱可能に取り付けられる。
【００２１】
図３はロック機構部分の各部材の取り付け状態を示し、（ａ）はホルダ１２側の正面図、（ｂ）は（ａ）のＡ−Ａ線から見た断面図である。ロック機構１０は、台間機本体１１の背面板１３に形成された係止孔１４と、係止孔１４の位置に合わせてホルダ１２側に設けられた係止部材２１および板ばね２２で構成される。図４は、ロック機構を構成する係止部材２１と板ばね２２、および係止部材２１をホルダ１２に取り付ける取付部材２３を示す斜視図である。
【００２２】
図３に示すように、ホルダ１２の前面には、台間機本体１１の係止孔１４の位置に合わせて通孔１５が形成され、係止部材２１および板ばね２２が、通孔１５内を通ってホルダ１２よりも前方に突出して取り付けられている。
【００２３】
係止部材２１は、例えば硬質合成樹脂で成形され、図４に示すように、前方に突出する中央の係止部分３１と、その両翼に設けられた平板状の取付部３２を有している。係止部分３１は、ホルダ１２の通孔１５の幅よりも僅かに小さい幅を有している。係止部分３１の下面には、下側に開放された凹部３３が形成され、先端には、上端から下面の凹部３３に向けて曲面状のガイド面３４が形成されている。係止部材２１は、ホルダ１２に取り付けられたハット形部材からなる取付部材２３の凸部頂面３５に、取付部３２をねじ止めして取り付けられる。係止部材２１は、凹部３３がホルダ１２よりも前面に突出するように取り付けられる。取付部材２３には、図３（ａ）及び図４に示すように長孔３６が設けられていて、ホルダ１２に固定されたねじ２６に対して長孔３６をスライドすることにより、取付部材２３がホルダ１２に対して上下移動可能に取り付けられる。また、係止部材２１は、ばね２４によって下向きに付勢されている。更に、取付部材２３には、アングル等からなる操作部材２５が固定され、操作部材２５を手で持って上下に操作することにより、取付部材２３を介して係止部材２１が上下移動する。
【００２４】
板ばね２２は弾性部材からなり、図３及び図４に示すように、ホルダ１２への支持部３７から下方に連続した略コ字状を呈している。板ばね２２の幅寸法は、係止部材２１の凹部３３と略同じである。板ばね２２全体が図４に示すような一定幅の形状ではない場合には、底板３８の幅寸法を係止部材２１の凹部３３と略同じにする。板ばね２２は、係止部分３１の後方を覆うように取り付けられ、台間機本体１１をロックしていない状態では、底板部３８が係止部材２１の下面に当接し、且つ、底板部３８の先端３８ａが凹部３３の前端とほぼ同じ位置である。即ち、底板部３８の先端３８ａは、ホルダ１２の通孔１５から前方へ突出し、凹部３３を塞いでいる。底板部３８は、先端３８ａを後方へ押し込むことにより、板ばね２２が変形しながら先端３８ａが後方へ移動し、その際に板ばね２２が付勢される。また、底板部３８の先端３８ａには、ヘミング曲げによる折り返し部３９が設けられている。
【００２５】
尚、上記の例では、二体の取付部材２３に係止部材２１を取り付けているが、取付部材２３は、ホルダ１２への取付部分を共有するように一体に連結されたものでも構わない。
【００２６】
また、図５は、係止部材２１を上下二箇所に設けた例を示し、（ａ）はホルダ１２側の正面図、（ｂ）は（ａ）のＢ−Ｂ線から見た断面図である。台間機本体１１の背面板１３には、上下二箇所に係止孔１４が設けられ、その位置に合わせて、ホルダ１２に係止部材２１がそれぞれ取り付けられている。上下の係止部材２１は、連結部材２７で連結され、連動する。板ばね２２は、いずれか一方、図５の例では上側の係止部材２１に作用する位置に設けられている。下側の係止部材２１の取付構造は、図３に示した前述の構造と同様である。尚、上下両方に板ばね２２を設けてもよいが、上下二箇所の係止部材２１が連動することにより、いずれか一方に板ばね２２を設ければ、十分に本発明の機能を発揮できる。
【００２７】
次に、上記のロック機構１０によるロックおよびロック解除の動作について、図６に基づいて説明する。
【００２８】
台間機本体１１をホルダ１２に取り付ける際には、図６（ａ）に示すように、台間機本体１１を前面から差し込む。台間機本体１１の背面板１３が、ホルダ１２に設けられた係止部材２１の先端に到達すると、図６（ｂ）に示すように係止部材２１のガイド面３４にガイドされ、背面板１３の係止孔１４の下縁面４１が凹部３３に入り込む。同時に、板ばね２２の底板部３８が後方に押されて、図６（ｃ）に示すように、板ばね２２が弾性変形し、先端３８ａがホルダ１２の裏面を押さえつける。これにより、背面板１３は、凹部３３の前方側面４２と板ばね２２に押さえつけられたホルダ１２に挟まれて、位置が固定される。このように、台間機本体１１を前方から押し込むだけで、自然にロックされる。
【００２９】
台間機本体１１を引き出す際には、図６（ｄ）に示すように、ロック状態の係止部材２１を上方向に持ち上げると、背面板１３が凹部３３から外れて、ロックが解除される。同時に、板ばね２２の復元力により、底板部３８の先端３８ａが前方へ移動して係止孔１４にもぐりこむ。このとき、板ばね２２の底板部３８先端に折り返し部３９が設けられているため、曲面状の先端がガイド面の役割をして円滑に係止孔１４にもぐりこむことができる。そして、板ばね２２の底板部３８が係止孔１４の下縁面４１上で凹部３３を塞ぐため、ロック解除状態が保持される。尚、係止部材２１を持ち上げる際には、前述の図３（ａ）に示す操作部材２５を上向きに操作することにより、長孔３６によって上下移動可能に取り付けられた取付部材２３とともに、係止部材２１が上方に持ち上がる。
【００３０】
図６（ｄ）に示すように、ロック解除時には、凹部３３の開放側が板ばね２２に塞がれた状態が保持されるので、そのまま前方から台間機本体１１を引くことにより、台間機本体１１が傾こうとしても、凹部３３が係止孔１４に引っかかることなく円滑且つ真っ直ぐに引き出すことができる。尚、板ばね２２は、凹部３３全体を覆うために、少なくとも、底板部３８の幅が凹部３３の幅と同じ寸法であることが好ましい。また、板ばね２２を後方へ押し込むときに、折り返し部３９がホルダ１２に引っかからないように、折り返し部３９は十分な長さを有するものとする。
【００３１】
本発明によれば、台間機本体１１を引き出す際、板ばね２２の底板部３８が凹部３３を塞いでロック解除状態が保持されているので、ロック解除の方向に手を添える必要が無く、片手でも、容易に引き出すことができる。従って、隣の遊技台を開く必要もなくなる。さらに、ロックを解除すれば、遊技台を閉じて、外側から引き出すことも可能である。これにより、遊技台を開いて遊技台の内側を露出する時間が短くて済むので、例えば遊技者等の第三者が遊技台の裏面から不正な部材を取り付ける等の行為を防ぐことができる。
【００３２】
しかも、本発明は極めて簡易な構成であり、低コストで実施可能であるとともに、取り替えやメンテナンスを容易に行うことができる。
【００３３】
以上、本発明の好適な実施形態について説明したが、本発明はかかる例に限定されない。当業者であれば、特許請求の範囲に記載された技術的思想の範疇内において、各種の変更例または修正例に想到しうることは明らかであり、それらについても当然に本発明の技術的範囲に属するものと了解される。例えば、係止部材２１の取付方法は前述の例に限らない。また、係止部材２１の取り付け位置は、前述の上下二箇所に限らず、３個所以上設けても構わない。係止部材２１の数を増やした場合には、凹部３３への負担が低減し、劣化や破損を抑制することができる。
【産業上の利用可能性】
【００３４】
本発明は、筐体を枠体に取り付ける際のロック機構に適用できる。
【図面の簡単な説明】
【００３５】
【図１】本発明が適用される遊技台および台間機の配置を示す正面図。
【図２】台間機とホルダとの脱着方向を示す概略側面図。
【図３】本発明の実施の形態を示し、（ａ）は正面図、（ｂ）は（ａ）のＡ−Ａ線から見た断面図。
【図４】図３の係止部材、板ばね、取付部材の分解斜視図。
【図５】本発明の異なる実施の形態を示し、（ａ）は正面図、（ｂ）は（ａ）のＢ−Ｂ線から見た断面図。
【図６】本発明の動作を説明する縦断面図。
【符号の説明】
【００３６】
２    台間機
３    遊技台
４    ヒンジ
１０  ロック機構
１１  台間機本体
１２  ホルダ
１３  背面板
１４  係止孔
１５  通孔
２１  係止部材
２２  板ばね
２３  取付部材
２４  ばね
２５  操作部材
２７  連結部材
３１  係止部分
３２  取付部
３３  凹部
３４  ガイド面
３８  底板部
３８ａ  先端
３９  折り返し部
【図１】
0005184133.tif 000002
【図２】
0005184133.tif 000003
【図３】
0005184133.tif 000004
【図４】
0005184133.tif 000005
【図５】
0005184133.tif 000006
【図６】
0005184133.tif 000007